(57)【要約】【課題】燃焼機関における使用のための耐磨耗潤滑油組成物を提供すること。【解決手段】本発明は、硫黄含有油添加剤と組み合わせて本質的にａ）少なくとも一種のリン酸アンモニウムエステル；ｂ）少なくとも一種のチオリン酸エステル；及びｃ）少なくとも一種のジチオリン酸誘導体から成る添加剤混合物を含む添加剤組成物；及び火花点火又はディーゼル自動車用エンジンのような燃焼機関における磨耗低減のための方法に関する。【選択図】なし【特許請求の範囲】
【請求項１】
燃焼機関における使用のための潤滑油組成物であって、該組成物における硫黄総量が０．３質量％未満であることを条件に、
Ａ）本質的に
ａ）少なくとも一種のリン酸アンモニウムエステル；
ｂ）少なくとも一種のチオリン酸エステル；及び
ｃ）少なくとも一種のジチオリン酸誘導体；
から成る添加剤混合物；
Ｂ）少なくとも一種の硫黄含有油添加剤；
Ｃ）慣用のクランクケース油添加剤；及び
Ｄ）潤滑粘度の低硫黄油
を含む組成物。
【請求項２】
前記添加剤混合物Ａ）が、本質的に
ａ）式
【化１】
2008533291.tif 000023
（式中、
Ｒ1及びＲ2の１方は水素原子を表し、もう一方は炭素原子数１ないし２０の炭化水素基を表すか、又は
Ｒ1及びＲ2の両方が炭素原子数１ないし２０の炭化水素基を表し、及びＲa、Ｒb、Ｒc及
びＲdは互いに独立して水素原子又は炭素原子数６ないし２０の炭化水素基を表す。）で
表される少なくとも一種のリン酸アンモニウムエステル；
ｂ）式
【化２】
2008533291.tif 000024
（式中、
Ｒ1、Ｒ2及びＲ3は、炭素原子数３ないし２０の炭化水素基を表す。）で表される少なく
とも一種のチオリン酸エステル；及び
ｃ）式
【化３】
2008533291.tif 000025
（式中、
Ｒ1及びＲ2は、互いに独立して炭素原子数３ないし１８のアルキル基、炭素原子数５ないし１２のシクロアルキル基、炭素原子数９又は１０のビシクロアルキルメチル基、炭素原子数９又は１０のトリシクロアルキルメチル基、フェニル基又は炭素原子数７ないし２４のアルキルフェニル基を表し、又は
Ｒ1及びＲ2は一緒になって基
【化４】
2008533291.tif 000026
を表し、及び
Ｒ3は水素原子又はメチル基を表す。）で表される３−ジチオホスホリルプロピオン酸；
及び式
【化５】
2008533291.tif 000027
（式中、
Ｒ1及びＲ2は、前記式（ＩＩＩ）に関して定義される通りであり、及び
Ｒa、Ｒb、Ｒc及びＲdは互いに独立して水素原子又は炭素原子数６ないし２０の炭化水素基を表す。）で表されるジチオリン酸のアンモニウム塩からなる群から選ばれる少なくとも一種のジチオリン酸誘導体
から成る、請求項１記載の潤滑油組成物。
【請求項３】
前記添加剤混合物Ａ）が、本質的に
ａ）前記式（Ｉ）（式中、Ｒ1及びＲ2の1方は水素原子を表し、及びもう一方は炭素原子
数３ないし１８のアルキル基を表すか；又はＲ1及びＲ2の両方が炭素原子数３ないし１８のアルキル基を表し；及びＲa、Ｒb、Ｒc及びＲdは互いに独立して水素原子又は炭素原子数６ないし２０のアルキル基を表す。）で表される少なくとも一種のリン酸アンモニウムエステル；
ｂ）前記式（ＩＩ）（式中、Ｒ1、Ｒ2及びＲ3は互いに独立してフェニル基又は炭素原子
数７ないし２４のアルキルフェニル基を表す。）で表される少なくとも一種のチオリン酸エステル；及び
ｃ）前記式（ＩＩＩ）（式中、Ｒ1及びＲ2は炭素原子数３ないし１８のアルキル基を表し、及びＲ3は水素原子又はメチル基を表す。）で表される３−ジチオホスホリルプロピオ
ン酸、及び
前記式（ＩＶ）（式中、Ｒ1及びＲ2は炭素原子数３ないし１８のアルキル基を表し、及びＲa、Ｒb、Ｒc及びＲdは互いに独立して水素原子又は炭素原子数６ないし２０のアルキル基を表す。）で表されるジチオリン酸のアンモニウム塩からなる群から選ばれる少なくとも一種のジチオリン酸誘導体
から成る、請求項１記載の潤滑油組成物。
【請求項４】
前記添加剤混合物Ａ）が、本質的に
ａ）前記式（Ｉ）（式中、Ｒ1及びＲ2の１方は水素原子を表し、及びもう一方は炭素原子数３ないし９のアルキル基を表すか；又はＲ1及びＲ2の両方が炭素原子数３ないし９のアルキル基を表し；及びＲa、Ｒb、Ｒc及びＲdは互いに独立して水素原子又は炭素原子数１２ないし２０のアルキル基を表す。）で表される少なくとも一種のリン酸アンモニウムエステル；
ｂ）前記式（ＩＩ）（式中、Ｒ1、Ｒ2及びＲ3は互いに独立してフェニル基又は（炭素原
子数１ないし９のアルキル）1ナイシ3フェニル基を表す。）で表される少なくとも一種のチオリン酸エステル；及び
ｃ）前記式（ＩＩＩ）（式中、Ｒ1及びＲ2は２−メチルプロピル基を表し、及びＲ3はメ
チル基を表す。）で表される３−ジチオホスホリルプロピオン酸、及び
前記式（ＩＶ）（式中、Ｒ1及びＲ2はイソプロピル基を表し、及びＲa、Ｒb、Ｒc及びＲdは互いに独立して水素原子又は炭素原子数１２ないし２０のアルキル基を表す。）で表されるジチオリン酸のアンモニウム塩からなる群から選ばれる少なくとも一種のジチオリン酸誘導体
から成る、請求項１記載の潤滑油組成物。
【請求項５】
前記添加剤混合物Ａ）が、本質的に
ａ）前記式（Ｉ）（式中、Ｒ1及びＲ2の１方は水素原子を表し、及びもう一方は炭素原子数３ないし９のアルキル基を表すか；又はＲ1及びＲ2の両方が炭素原子数３ないし９のアルキル基を表し；及びＲa、Ｒb、Ｒc及びＲdは互いに独立して水素原子又は炭素原子数１２ないし２０のアルキル基を表す。）で表される少なくとも一種のリン酸アンモニウムエステル；
ｂ）前記式（ＩＩ）（式中、
Ｒ1、Ｒ2及びＲ3はフェニル基を表すか、又は
Ｒ1、Ｒ2及びＲ3の１つはフェニル基を表し及びＲ1、Ｒ2及びＲ3の２つが（炭素原子数１ないし９のアルキル）1ナイシ3フェニル基を表すか、又は
Ｒ1、Ｒ2及びＲ3の２つはフェニル基を表し及びＲ1、Ｒ2及びＲ3の１つが（炭素原子数１ないし９のアルキル）1ナイシ3フェニル基を表すか、又は
Ｒ1、Ｒ2及びＲ3が（炭素原子数１ないし９のアルキル）1ナイシ3フェニル基を表す。）
で表される少なくとも一種のチオリン酸エステル；及び
ｃ）前記式（ＩＩＩ）（式中、Ｒ1及びＲ2は２−メチルプロピル基を表し、及びＲ3はメ
チル基を表す。）で表される３−ジチオホスホリルプロピオン酸
から成る請求項１記載の潤滑油組成物。
【請求項６】
前記硫黄含有油添加剤Ｂ）が、
【化６】
2008533291.tif 000028
【化７】
2008533291.tif 000029
【化８】
2008533291.tif 000030
【化９】
2008533291.tif 000031
から成る群から選択されるジチオグリシジルエーテルである、請求項１記載の潤滑油組成物。
【請求項７】
前記硫黄含有油添加剤Ｂ）が、式
【化１０】
2008533291.tif 000032
[式中、Ｒ1はヒドロキシ基、アミノ基、メルカプト基、アルキルチオ基、２−ヒドロキシアルキルチオ基又はＲ2−Ｓを表し、及びＲ2は部分式
【化１１】
2008533291.tif 000033
（式中、Ｒ3は５０ないし４００個の炭素原子を有するアルキル基を表し、及びＲ4は水素原子又はメチル基を表す。）によって表されるポリオレフィン残基を表す。]で表される
ポリアルキル化１，３，４−チアジアゾール化合物である、請求項１記載の潤滑油組成物。
【請求項８】
前記潤滑粘度の低硫黄油Ｄ）が、鉱油、合成油、天然油又はそれらの混合物である、請求項１記載の潤滑油組成物。
【請求項９】
前記組成物における硫黄総量が０．２質量％未満である、請求項１記載の潤滑油組成物。
【請求項１０】
添加剤組成物であって、
Ａ）本質的に
ａ）少なくとも一種のリン酸アンモニウムエステル；
ｂ）少なくとも一種のチオリン酸エステル；及び
ｃ）少なくとも一種のジチオリン酸誘導体；
から成る添加剤混合物；及び
Ｂ）硫黄含有油添加剤
を含む添加剤組成物。
【請求項１１】
燃焼機関における使用のための添加剤混合物であって、
本質的に
ａ）少なくとも一種のリン酸アンモニウムエステル；
ｂ）少なくとも一種のチオリン酸エステル；及び
ｃ）少なくとも一種のジチオリン酸誘導体
から成る添加剤混合物。
【請求項１２】
燃焼機関における磨耗低減のための方法であって、請求項１記載の潤滑油組成物を該機関に添加することを含み、ここで該組成物における硫黄総量が０．３質量％未満であり及びリン総量が０．０８質量％未満であるところの方法。
【発明の詳細な説明】
【技術分野】
【０００１】
本発明は、燃焼機関における使用のための潤滑油組成物、すなわち添加剤組成物に関し、該組成物は本質的に
ａ）少なくとも一種のリン酸アンモニウムエステル；
ｂ）少なくとも一種のチオリン酸エステル；及び
ｃ）少なくとも一種のジチオリン酸誘導体
から成る添加剤混合物を含む。
この混合物は、硫黄含有油添加剤と組み合わされる。本発明は、また燃焼機関における磨耗減少のための方法に関する。
【背景技術】
【０００２】
添加剤は、潤滑油、例えば鉱油又は合成もしくは半合成油の性能特性を改善することが知られている。酸化劣化生成物の形成を減少し、及び潤滑油の長期貯蔵期間及び高安定性能を促進する特に添加剤が強く望まれている。
亜鉛ジアルキル−／ジアリールジチオホスフェート（ＺｎＤＴＰ）
【化１】
2008533291.tif 000002
は、第一に選択されるの添加剤である。優れた耐磨耗性及び極圧特性に加えて、ＺｎＤＴＰはまた効果的な酸化防止剤及び金属不動態化剤（ｍｅｔａｌ  ｐａｓｓｉｖａｔｏｒ）でもある。それらの多機能性は、それらを、エンジンオイル、ショックアブゾーバーオイル（ｓｈｏｃｋ  ａｂｓｏｒｂｅｒ  ｏｉｌ）及び油圧油において莫大な量で近ごろ使用される最も広く普及した費用効率が高い添加剤群にしている。非特許文献１参照。
欧州共同体（ＥＣ）、アメリカ合衆国及び他の国々における環境省庁によって出される様々な規制は、自己点火（ディーゼル自動車用エンジン）又は火花点火（ガソリン自動車用エンジン）で動く燃焼自動車用エンジンから放出される排ガスの組成物に関して厳しい制限を要求する。それらの排出ガスが現在、環境規制を満たさないという事実を鑑みて、排出ガス後処理装置が導入された。それらの装置は、燃焼プロセスによって発生する灰粒子の形態での望ましくない副生成物の析出によって劣化する、触媒のための多孔質膜（微粒子トラップ）又は多孔性担体からなる。固体触媒の活性は、固体リン化合物及び酸性硫黄化合物の相互作用によって特に低下する。一般に灰として分類されるそれらの副生成物は、自動車用燃料及び油中に存在する潤滑油添加剤に一部起因する。
潤滑油添加剤の悪影響を最小限にするために、いわゆる低ＳＡＰＳ（硫酸塩灰、リン及び硫黄）エンジンオイルが開発されている、例えば非特許文献２。
灰を生じる浄化剤、リン添加剤及びＺｎＤＴＰの量は、最近開発された潤滑油組成物で減少する傾向にある。それゆえに本発明は、今日迄使用される亜鉛ジアルキルジチオホスフェートの優れた抗酸化及び磨耗保護に迫る、低硫黄及びリン含有の実質的に無金属の添加剤又は添加剤の組合せを提供することをその目的とする。
特許文献１は、リン及び硫黄含有添加剤成分を含む無亜鉛油圧油を記載する。１つの成分は、トリフェニルチオリン酸型（イルガルーブ（ＩＲＧＡＬＵＢＥ）  ＴＰＰＴ）のチオリン酸エステルである。これは、イルガルーブ６３型のジチオリン酸エステルと及び他
の任意の油添加剤成分、例えばスルホン酸アンモニウムとの組み合わせられる。
特許文献２は、β−ジチオリン酸化プロピオン酸（Ａ）、３−（Ｏ，Ｏ−ジイソプロピルジチオホスホリル）−２−メチルプロピオン酸、トリアリール（イルガルーブ（登録商標：Ｉｒｇａｌｕｂｅ）３５３）、トリアリールホスフェート（Ｂ）並びに鉱油及び／又は合成油を含む基油を含む潤滑油組成物を開示する。
特許文献３は、チオリン酸エステル及びジチオリン酸エステル又はリン酸チオエステル並びにポリオール部分エステル、アミン及びエポキシドの群からの油添加剤を含む油圧油組成物を開示する。
【非特許文献１】Ｕｌｌｍａｎｎ’ｓ  Ｅｎｃｙｃｌｏｐａｅｄｉａ  ｏｆ  Ｉｎｄｕｓｔｒｉａｌ  Ｃｈｅｍｉｓｔｒｙ，  Ｌｕｂｒｉｃａｎｔｓ  ａｎｄ  Ｌｕｂｒｉｃａｔｉｏｎ，  Ｗｉｌｅｙ−ＶＣＨ  Ｖｅｒｌａｇ，   HYPERLINK "javascript://" ＤＯＩ：  １０．１００２／１４３５６００７．ａ１５＿４２３，論文のインターネット公開日：２００２年１月１５日、及び：  Ｗ．  Ｊ．  Ｂａｒｔｚ  （編）：  Ａｄｄｉｔｉｖｅ  ｆuｒ  Ｓｃｈｍｉｅｒｓｔｏｆｆｅ，  Ｅｘｐｅｒｔ  Ｖｅｒｌａｇ，  １９９４，５３ないし８３頁中のＣ．  Ｇ．  Ａ．  ｖｏｎ  Ｅｂｅｒａｎ−Ｅｂｅｒｈｏｒｓｔ，  Ｒ．  Ｓ．  Ｈｅｘｔｅｒ，  Ａ．  Ｃ．  Ｃｌａｒｋ，  Ｂ．  Ｏ’Ｃｏｎｎｏｒ，  Ｒ．  Ｈ．  Ｗａｌｓｈ，  Ａｓｃｈｅｇｅｂｅｎｄｅ  Ｅｘｔｒｅｍｅ−Ｐｒｅｓｓｕｒｅ−  ｕｎｄ  Ｖｅｒｓｃｈｌｅｉsｓｃｈｕｔｚ−Ａｄｄｉｔｉｖｅ
【非特許文献２】Ｓｈｉｇｅｋｉ  Ｔａｋｅｓｈｉｍａ，  Ｎｉｐｐｏｎ  Ｃｏｒｐ．，  Ｄｅｖｅｌｏｐｍｅｎｔ  ａｎｄ  ｄｕｒａｂｉｌｉｔｙ  ｏｆ  ｌｏｗ  ＳＡＰＳ  ｄｉｅｓｅｌ  ｅｎｇｉｎｅ  ｏｉｌｓ  ｆｏｒ  ｐａｓｓｅｎｇｅｒ  ｃａｒｓ  （ＪＳＡＥ  Ｐａｐｅｒ  Ｎｏ．２００４５２７７）
【特許文献１】米国特許第５５３１９１１号明細書
【特許文献２】国際公開第０２／０５３６８７号パンフレット
【特許文献３】欧州特許出願公開第９０３３９９号明細書
【発明の開示】
【発明が解決しようとする課題】
【０００３】
本質的に、付加的な硫黄含有油添加剤との組み合わせにおいて、
ａ）少なくとも一種のリン酸アンモニウムエステル；
ｂ）少なくとも一種のチオリン酸エステル；及び
ｃ）付加的な硫黄含有添加剤と組合せた、少なくとも一種のジチオリン酸誘導体
から成る添加剤混合物が、低金属含有量を有し及び低硫黄及びリン含有量の要求を満たす潤滑油組成物を調製するために特に有用であることが驚くべきことに見出された。
【課題を解決するための手段】
【０００４】
本発明は、燃焼機関における使用のための潤滑油組成物であって、該組成物における硫黄の総量が０．３質量％未満であるという条件で、
Ａ）本質的に
ａ）少なくとも一種のリン酸アンモニウムエステル；
ｂ）少なくとも一種のチオリン酸エステル；及び
ｃ）少なくとも一種のジチオリン酸誘導体；
からなる添加剤混合物
Ｂ）少なくとも一種の付加的な硫黄含有油添加剤；
Ｃ）慣用のクランクケース油添加剤；及び
Ｄ）潤滑粘度の低硫黄油；
を含む組成物に関する。
【発明の効果】
【０００５】
上述した添加剤混合物を含有する組成物は、対応するＺＮＤＴＰを含有する組成物と比
較してそれらのより優れた性能によって特徴付けられる。これは、Ｃ＆Ｔ  ＰＶＷ５１０６（ＶＷ（ＶＡＧ）によって開発された）及び圧力示差走査熱量測定（Ｐｒｅｓｓｕｒｉｚｅｄ  Ｄｉｆｆｅｒｅｎｔｉａｌ  Ｓｃａｎｎｉｎｇ  Ｃａｌｏｒｉｍｅｔｒｙ）（ＰＤＳＣ）のような、様々な一般に認められている試験において証明し得る。
本発明に従う組成物は、内燃機関、例えば火花点火内燃機関（一般にガソリン自動車用エンジンとして知られる）又は自己点火内燃機関（一般にディーゼル自動車用エンジンとして知られる）において優れた抗酸化性を有する潤滑油としての使用のために特に適している。
前記組成物は、特にＡＰＩ（米国石油協会：アメリカ合衆国、ワシントンＤＣ、１１２０ＬストリートＮＷ）の分類、Ｓ−及びＣ−類（例えば、ＡＳＴＭ  Ｄ  ４４８５に記述されるようなＳＭ、ＣＥ）、ＩＬＳＡＣ（ＡＰＩによって発表される、潤滑油国際基準化及び認定委員会）によって定義されるＧＦ−類及びＡＣＥＡ（欧州自動車工業会、ベルギー国、Ｂ−１０００  ブリュッセル、ルーデノイエル２１１）によるＡ、Ｂ、Ｃ及びＥ規格を満たす自動車用油として適している。
【発明を実施するための最良の形態】
【０００６】
本発明の好ましい態様は、添加剤混合物Ａ）が本質的に
ａ）式
【化２】
2008533291.tif 000003
（式中、
Ｒ1及びＲ2の１方は水素原子を表し、もう一方は炭素原子数１ないし２０の炭化水素基を表すか、又は
Ｒ1及びＲ2の両方が炭素原子数１ないし２０の炭化水素基を表し、及びＲa、Ｒb、Ｒc及
びＲdは互いに独立して水素原子又は炭素原子数６ないし２０の炭化水素基を表す。）で
表される少なくとも一種のリン酸アンモニウムエステル；
ｂ）式
【化３】
2008533291.tif 000004
（式中、
Ｒ1、Ｒ2及びＲ3は、炭素原子数３ないし２０の炭化水素基を表す。）で表される少なく
とも一種のチオリン酸エステル；及び
ｃ）式
【化４】
2008533291.tif 000005
（式中、
Ｒ1及びＲ2は、互いに独立して炭素原子数３ないし１８のアルキル基、炭素原子数５ないし１２のシクロアルキル基、炭素原子数９又は１０のビシクロアルキルメチル基、炭素原子数９又は１０のトリシクロアルキルメチル基、フェニル基又は炭素原子数７ないし２４のアルキルフェニル基を表し、又は
Ｒ1及びＲ2は一緒になって基
【化５】
2008533291.tif 000006
を表し、及び
Ｒ3は水素原子又はメチル基を表す。）で表される３−ジチオホスホリルプロピオン酸；
及び式
【化６】
2008533291.tif 000007
（式中、
Ｒ1及びＲ2は、前記式（ＩＩＩ）に関して定義される通りであり、及び
Ｒa、Ｒb、Ｒc及びＲdは互いに独立して水素原子又は炭素原子数６ないし２０の炭化水素基を表す。）で表されるジチオリン酸のアンモニウム塩からなる群から選ばれる少なくとも一種のジチオリン酸誘導体からなる潤滑油組成物に関する。
【０００７】
本発明の特に好ましい態様は、添加剤混合物Ａ）が本質的に
ａ）前記式（Ｉ）（式中、Ｒ1及びＲ2の1方は水素原子を表し、及びもう一方は炭素原子
数３ないし１８のアルキル基を表すか；又はＲ1及びＲ2の両方は炭素原子数３ないし１８のアルキル基を表し；及びＲa、Ｒb、Ｒc及びＲdは互いに独立して水素原子又は炭素原子数６ないし２０のアルキル基を表す。）で表される少なくとも一種のリン酸アンモニウムエステル；
ｂ）前記式（ＩＩ）（式中、Ｒ1、Ｒ2及びＲ3は互いに独立してフェニル基又は炭素原子
数７ないし２４のアルキルフェニル基を表す。）で表される少なくとも一種のチオリン酸エステル；及び
ｃ）前記式（ＩＩＩ）（式中、Ｒ1及びＲ2は炭素原子数３ないし１８のアルキル基を表し、及びＲ3は水素原子又はメチル基を表す。）で表される３−ジチオホスホリルプロピオ
ン酸、及び
前記式（ＩＶ）（式中、Ｒ1及びＲ2は炭素原子数３ないし１８のアルキル基を表し、及び
Ｒa、Ｒb、Ｒc及びＲdは互いに独立して水素原子又は炭素原子数６ないし２０のアルキル基を表す。）で表されるジチオリン酸のアンモニウム塩からなる群から選ばれる少なくとも一種のジチオリン酸誘導体からなる潤滑油組成物に関する。
【０００８】
本発明の非常に好ましい態様は、添加剤混合物Ａ）が本質的に
ａ）前記式（Ｉ）（式中、Ｒ1及びＲ2の１方は水素原子を表し、及びもう一方は炭素原子数３ないし９のアルキル基を表すか；又はＲ1及びＲ2の両方は炭素原子数３ないし９のアルキル基を表し；及びＲa、Ｒb、Ｒc及びＲdは互いに独立して水素原子又は炭素原子数１２ないし２０のアルキル基を表す。）で表される少なくとも一種のリン酸アンモニウムエステル；
ｂ）前記式（ＩＩ）（式中、Ｒ1、Ｒ2及びＲ3は互いに独立してフェニル基又は（炭素原
子数１ないし９のアルキル）1ナイシ3フェニル基を表す。）で表される少なくとも一種のチオリン酸エステル；及び
ｃ）前記式（ＩＩＩ）（式中、Ｒ1及びＲ2は２−メチルプロピルを表し、及びＲ3はメチ
ル基を表す。）で表される３−ジチオホスホリルプロピオン酸、及び
前記式（ＩＶ）（式中、Ｒ1及びＲ2はイソプロピル基を表し、及びＲa、Ｒb、Ｒc及びＲdは互いに独立して水素原子又は炭素原子数１２ないし２０のアルキル基を表す。）で表されるジチオリン酸のアンモニウム塩からなる群から選ばれる少なくとも一種のジチオリン酸誘導体からなる潤滑油組成物に関する。
【０００９】
本発明の非常に好ましい態様は、添加剤混合物Ａ）が本質的に
ａ）前記式（Ｉ）（式中、Ｒ1及びＲ2の１方は水素原子を表し、及びもう一方は炭素原子数３ないし９のアルキル基を表すか；又はＲ1及びＲ2の両方は炭素原子数３ないし９のアルキル基を表し；及びＲa、Ｒb、Ｒc及びＲdは互いに独立して水素原子又は炭素原子数１２ないし２０のアルキル基を表す。）で表される少なくとも一種のリン酸アンモニウムエステル；
ｂ）前記式（ＩＩ）（式中、Ｒ1、Ｒ2及びＲ3はフェニル基を表すか、又は
Ｒ1、Ｒ2及びＲ3の１つはフェニル基を表し及びＲ1、Ｒ2及びＲ3の２つが（炭素原子数１ないし９のアルキル）1ナイシ3フェニル基を表すか、又は
Ｒ1、Ｒ2及びＲ3の２つはフェニル基を表し及びＲ1、Ｒ2及びＲ3の１つが（炭素原子数１ないし９のアルキル）1ナイシ3フェニル基を表すか、又は
Ｒ1、Ｒ2及びＲ3が（炭素原子数１ないし９のアルキル）1ナイシ3フェニル基を表す。）
で表される少なくとも一種のチオリン酸エステル；及び
ｃ）前記式（ＩＩＩ）（式中、Ｒ1及びＲ2は２−メチルプロピル基を表し、及びＲ3はメ
チル基を表す。）で表される３−ジチオホスホリルプロピオン酸からなる潤滑油組成物に関する。
【００１０】
成分Ａ
成分Ａ）に存在する添加剤混合物は、少なくとも３つの異なるホスフェート、チオホスフェート又はジチオホスフェート添加剤からなる。
前記混合物のホスフェート成分ａ）は、上記式（Ｉ）（式中、Ｒ1及びＲ2の１方は水素原子を表し、もう一方は炭素原子数１ないし２０の炭化水素基を表すか、又はＲ1及びＲ2の両方が炭素原子数１ないし２０の炭化水素基を表し、及びＲa、Ｒb、Ｒc及びＲdは互いに独立して水素原子又は炭素原子数６ないし２０の炭化水素基を表す。）によって表されるもののようなリン酸アンモニウムエステルである。
好ましい態様によれば、Ｒ1及びＲ2の１方は水素原子を表し、及びもう一方は炭素原子数３ないし１８のアルキル基を表すか、又はＲ1及びＲ2の両方が炭素原子数３ないし１８のアルキル基を表し、及びＲa、Ｒb、Ｒc及びＲdは互いに独立して水素原子又は炭素原子数６ないし２０のアルキル基を表す。
特に好ましい態様によれば、Ｒ1及びＲ2の１方は水素原子を表し、及びもう一方は炭素
原子数３ないし９のアルキル基を表すか、又はＲ1及びＲ2の両方が炭素原子数３ないし９のアルキル基を表し、及びＲa、Ｒb、Ｒc及びＲdは互いに独立して水素原子又は炭素原子数１２ないし２０のアルキル基を表す。
炭素原子数１ないし２０の炭化水素基Ｒ1及びＲ2は、好ましくは炭素原子数１ないし２０のアルキル基、例えばメチル基、エチル基、又は直鎖又は枝分かれした炭素原子数３ないし３０のアルキル基、例えばｎ−プロピル基、イソプロピル基、ｎ−、イソ−又は第三ブチル基、ｎ−ペンチル基、イソアミル基、ネオペンチル基、２−エチルブチル基、ｎ−ヘキシル基、１−メチルペンチル基、１，３−ジメチルブチル基、ｎ−ヘプチル基、イソヘプチル基、ｎ−オクチル基、１，４，４−トリメチル２−ペンチル基、３，４−、３，５−又は４，５−ジメチル−１−ヘキシル基、３−又は５−メチル−１−ヘプチル基、１，１，３，３−テトラメチルブチル基、２−エチルヘキシル基、イソブチレンの二量体から得られるような枝分かれしたオクチル基、ｎ−ノニル基、１，１，３−トリメチルヘキシル基、トリプロピレンの三量体から得られるような枝分かれしたノニル基、１−メチルウンデシル基、２−ｎ−ブチル−ｎ−オクチル基、イソブチレンの三量体又はプロピレンの四量体から得られる枝分かれしたドデシル基、プロピレンの五量体から得られる枝分かれしたペンタデシル基、２−ｎ−ヘキシル−ｎ−デシル基又は２−ｎ−オクチル−ｎ−ドデシル基である。
炭素原子数６ないし２０のアルキル基として定義されるＲa、Ｒb、Ｒc及びＲdは、６ないし２０個の炭素原子を有するアルキル基に関して上記で定義されたＲ1及びＲ2と同じ意味を有する。
【００１１】
式（Ｉ）によって表されるようなリン酸アンモニウムエステルは、既知の化合物であり、及び既知の方法によって調製し得る。それらの多くは、製品イルガルーブ（登録商標：Ｉｒｇａｌｕｂｅ）（チバスペシャルティケミカルズＡＧの登録商標）３４９：
【化７】
2008533291.tif 000008
（式中、Ｒは炭素原子数３ないし１８のアルキル基を表し、及びＲa及びＲbはアミン、炭素原子数１１ないし１４の枝分かれしたアルキル基、モノヘキシル基及びジヘキシルホスフェートと名付けられる生成物のような炭素原子数６ないし２０のアルキル基を表す。）のように、商業上入手可能である。
本発明に従う組成物中に存在する他のリン酸アンモニウムエステルは、製品アディティン（登録商標：Ａｄｄｉｔｉｎ）ＲＣ３７４０、ＲＣ３７４１又はＲＣ  ３７６０（アミンで中和された脂肪族アルコールのリン酸エステル）のようなドイツ国ミュンヘンのラインケミーライナウゲーエムベーハー（Ｒｈｅｉｎｃｈｅｍｉｅ  Ｒｈｅｉｎａｕ  ＧｍｂＨ）によって商業上入手可能である。
【００１２】
添加剤混合物のチオホスフェート成分ｂ）は、上記の式（ＩＩ）（式中、Ｒ1、Ｒ2及びＲ3は炭素原子数３ないし２０の炭化水素基を表す。）で表されるもののようなチオリン
酸エステルである。
好ましい態様によればＲ1、Ｒ2及びＲ3は、互いに独立してフェニル基又は炭素原子数
７ないし２０のアルキルフェニル基を表す。
特に好ましい態様によればＲ1、Ｒ2及びＲ3は、互いに独立してフェニル基又は（炭素
原子数１ないし９のアルキル）1ナイシ3フェニル基を表す。
非常に好ましい態様によればＲ1、Ｒ2及びＲ3は、互いに独立してフェニル基を表すか
、又は
Ｒ1、Ｒ2及びＲ3のうち１つはフェニル基を表し、そしてＲ1、Ｒ2及びＲ3のうち２つは（炭素原子数１ないし９のアルキル）1ナイシ3フェニル基を表すか、又は
Ｒ1、Ｒ2及びＲ3のうち２つはフェニル基を表し、そしてＲ1、Ｒ2及びＲ3のうち１つは（炭素原子数１ないし９のアルキル）1ナイシ3フェニル基を表すか、又は
Ｒ1、Ｒ2及びＲ3が（炭素原子数１ないし９のアルキル）1ナイシ3フェニル基を表す。
炭素原子数３ないし２０の炭化水素基Ｒ1、Ｒ2及びＲ3は、好ましくは炭素原子数３な
いし２０のアルキル基、炭素原子数５ないし１２のシクロアルキル基、炭素原子数５ないし１２のシクロアルキル−炭素原子数１ないし４のアルキル基、フェニル基、炭素原子数７ないし２０のアルキルフェニル基、炭素原子数７ないし２０のアルコキシフェニル基、ナフチル基及び炭素原子数７ないし９のフェニルアルキル基である。
炭素原子数３ないし２０のアルキル基は、例えばｎ−ノニル基、１，１，３−トリメチルヘキシル基、ｎ−デシル基、ｎ−ウンデシル基、ｎ−ドデシル基、１−メチルウンデシル基、ｎ−トリデシル基、ｎ−テトラデシル基、ｎ−ペンタデシル基、ｎ−ヘキサデシル基、ｎ−ヘプタデシル基及びｎ−オクタデシル基である。Ｒ1、Ｒ2及びＲ3に対して特に
好ましい基は、イソプロピル基である。Ｒ1、Ｒ2及びＲ3の意味は同じ又は異なり得る。
式ＩＩで表されるチオリン酸エステルは、例えば米国特許第５，５３１，９１１号明細書から既知である。それらの多くは商業上入手可能である。
炭素原子数５ないし１２のシクロアルキル基は、例えばシクロペンチル基又はシクロヘキシル基である。炭素原子数５ないし１２のシクロアルキル−炭素原子数１ないし４のアルキル基は、例えばシクロペンチルメチル基、２−シクロペンチルエチル基、シクロヘキシルメチル基又は２−シクロヘキシルエチル基である。
炭素原子数７ないし２０のアルキルフェニル基は、例えば上記炭素原子数１ないし４のアルキル基の１ないし３個によって又は１もしくは２個の炭素原子数１ないし６のアルキル基又は１個の炭素原子数１ないし１２のアルキル基によって置換されたフェニル基である。
炭素原子数７ないし２０のアルコキシフェニル基は、例えば１ないし３個の炭素原子数１ないし４のアルコキシ基、特にメトキシ基又はエトキシ基によって、又は１又は２個の炭素原子数１ないし６のアルコキシ基もしくは１個の炭素原子数１ないし１２のアルコキシ基によって置換されたフェニル基であり、それらの基は上述のアルキル基と類似である。
炭素原子数７ないし９のフェニルアルキル基は、例えばベンジル基、１−フェニル−１−エチル基又は２−フェニル−１−エチル基である。
【００１３】
本発明の好ましい態様において、成分ｂ）は式
【化８】
2008533291.tif 000009
（式中、ｘは０ないし２．７を表し、ｙは３−（ｘ＋ｚ）を表し、ｚは０ないし３−（ｘ＋ｙ）及びｘ＋ｙ＋ｚ＝３を表し、及びＡｒは上記で定義したようなフェニル基、炭素原子数７ないし１８のアルキルフェニル基、炭素原子数７ないし１８のアルコキシフェニル基、ナフチル基又は炭素原子数７ないし９のフェニルアルキル基を表す。）で表されるチオリン酸エステルの混合物からなる。それらのチオリン酸エステルの調製は、欧州特許出願公開第３６８８０３号明細書において記載されている。式Ｉ’で表される好ましいチオリン酸エステルは、ｎ−デシルフェニル−ｎ−ノニルフェニル−フェニル−チオホスフェ
ート、ｏ−第三ブチルフェニル−ｏ−イソプロピルフェニル−フェニルチオホスフェート、又はｎ−ヘキシルフェニル−フェニルチオホスフェート混合物のような物質を含むイルガルーブ２１１型のトリアリールチオホスフェート混合物である。
本発明の更なる好ましい態様において、成分ｂ）はＯ，Ｏ，Ｏ−トリス（２（又は４）−炭素原子数９又は１０のイソアルキルフェニル）ホスホロチオエートのような、トリフェニルチオホスフェート型（イルガルーブＴＰＰＴ）のチオリン酸エステルからなる。
【００１４】
添加剤混合物のジチオホスフェート成分ｃ）は、式（ＩＩＩ）又は式（ＩＶ）で表されるもののようなジチオリン酸誘導体である。化合物（ＩＩＩ）において、Ｒ1及びＲ2は互いに独立して炭素原子数３ないし１８のアルキル基、炭素原子数５ないし１２のシクロアルキル基、炭素原子数９又は１０のビシクロアルキルメチル基、炭素原子数９又は１０のトリシクロアルキルメチル基、フェニル基又は炭素原子数７ないし２４のアルキルフェニル基を表すか；又はＲ1及びＲ2は一緒になって基：
【化９】
2008533291.tif 000010
を表し；及び
Ｒ3は水素原子又はメチル基、好ましくは水素原子を表す。
炭素原子数３ないし１８のアルキル基として定義されるＲ1及びＲ2は、好ましくはイソプロピル基、イソブチル基又は２−エチルヘキシル基である。
他の基は、ｎ−プロピル基、ｎ−又は第三−ブチル基、ｎ−ペンチル基、イソアミル基、ネオペンチル基、２−エチルブチル基、ｎ−ヘキシル基、１−メチルペンチル基、１,
３−ジメチルブチル基、ｎ−ヘプチル基、イソヘプチル基、ｎ−オクチル基、１，４，４−トリメチル２−ペンチル基、３，４−、３，５−又は４，５−ジメチル−１−ヘキシル基、３−又は５−メチル−１−ヘプチル基、１，１，３，３−テトラメチルブチル基、イソブチレンの二量体から得られるような枝分かれしたオクチル基、ｎ−ノニル基、１，１，３−トリメチルヘキシル基、トリプロピレンの三量体から得られるような枝分かれしたノニル基である。
炭素原子数５ないし１２のシクロアルキル基、炭素原子数９又は１０のビシクロアルキルメチル基、炭素原子数９又は１０のトリシクロアルキルメチル基、炭素原子数７ないし２４のアルキルフェニル基は、米国特許第５，９２２，６５７号明細書に特定されたものである。
化合物（ＩＩＩ）は、例えば米国特許第５，９２２，６５７号明細書から既知である。
【００１５】
式（ＩＶ）で表されるジチオリン酸のアンモニウム塩において、Ｒ1及びＲ2は式（ＩＩＩ）について定義される通りであり、及びＲa、Ｒb、Ｒc及びＲd
は互いに独立して水素原子又は炭素原子数６ないし２０の炭化水素基を表す。炭素原子数６ないし２０のアルキル基として定義されるＲa、Ｒb、Ｒc及びＲd
はリン酸アンモニウム（Ｉ）及び６ないし２０個の炭素原子のアルキル基について上記で定義されるＲa、Ｒb、Ｒc及びＲdと同じ意味を有する。
特に好ましい態様は、式
【化１０】
2008533291.tif 000011
で表されるジチオリン酸のアンモニウム塩、例えばＯ，Ｏ−ジイソプロピル水素ジチオホスフェートアルキルアミンに関する。
特に好ましい態様によれば、ジチオリン酸誘導体は３−ジチオホスホリルプロピオン酸（ＩＩＩ）（ここで、Ｒ1及びＲ2は炭素原子数３ないし１８のアルキル基を表し、及びＲ3は水素原子又はメチル基を表す。）、及びジチオリン酸のアンモニウム塩（ＩＶ）（こ
こで、Ｒ1及びＲ2は炭素原子数３ないし１８のアルキル基を表し、及びＲa、Ｒb、Ｒc及
びＲdは互いに独立して水素原子又は炭素原子数６ないし２０のアルキル基を表す。）か
らなる群から選ばれる。
非常に好ましい態様によれば、ジチオリン酸誘導体は３−ジチオホスホリルプロピオン酸（ＩＩＩ）（ここで、Ｒ1及びＲ2は炭素原子数３ないし１８のアルキル基を表し、及びＲ3は水素原子又はメチル基を表す。）、及びジチオリン酸のアンモニウム塩（ＩＶ）（
ここで、Ｒ1及びＲ2は炭素原子数３ないし１８のアルキル基を表し、及びＲa、Ｒb、Ｒc
及びＲdは互いに独立して水素原子又は炭素原子数６ないし２０のアルキル基を表す。）
からなる群から選ばれる。
非常に好ましい態様は、３−ジチオホスホリル−２−メチルプロピオン酸（ＩＩＩ）、例えば３−[[ビス（２−メチルプロポキシ）ホスフィノチオイル]チオ]−２−メチルプロパン酸：
【化１１】
2008533291.tif 000012
に関する。
この化合物は商業上入手可能であり、そして商標イルガルーブ（ＩＲＧＡＬＵＢＥ）３５３のもと販売されている。
【００１６】
本発明の好ましい態様において、定義された添加剤混合物における成分ａ）、ｂ）及びｃ）のリン含有量は、組成物に基づき８００ｐｐｍ未満である。特に好ましい態様において、リン含有量は４００ないし８００ｐｐｍ、特に３００ないし７００ｐｐｍである。成分ｂ）と成分ｃ）の質量比は、約１０：１０：８０及び８０：１０：１０ないし１０：８０：１０質量％の範囲内で変わり得る。
組成物中の成分Ａ）の総含有量は重大な意味を持つものではないが、組成物中の成分Ａ）の好ましい総含有量は、組成物の総質量に基づき１．０ないし０．００１、好ましくは０．１ないし０．０１質量％の範囲内であるか、好ましくは組成物の総リン含有量によって表して０．０１ないし０．１％である。
【００１７】
成分Ｂ
燃焼機関における使用に適している本発明に従う潤滑油組成物は、上記の成分Ａ）を含
み、該成分には本質的に
ａ）少なくとも一種のリン酸アンモニウムエステル；
ｂ）少なくとも一種のチオリン酸エステル；及び
ｃ）少なくとも一種のジチオリン酸誘導体
からなる添加剤混合物が存在する。
【００１８】
この添加剤混合物は、少なくとも一種の付加的な硫黄を含有する油添加剤と混合される。様々な硫黄を含有する油添加剤が適している。下記の群から選ばれるジチオグリシジルエーテルが好ましい。
【化１２】
2008533291.tif 000013
【化１３】
2008533291.tif 000014
【００１９】
それらの化合物は既知である。それらの調製は、欧州特許出願公開第０１６６６９６号明細書において記載されている。他の態様によれば付加的な硫黄含有油添加剤Ｂ）は式
【化１４】
2008533291.tif 000015
[式中、Ｒ1はヒドロキシ基、アミノ基、メルカプト基、アルキルチオ基、２−ヒドロキシアルキルチオ基又はＲ2−Ｓを表し、及びＲ2は部分式
【化１５】
2008533291.tif 000016
（式中、Ｒ3は５０ないし４００個の炭素原子を有するアルキル基を表し、及びＲ4は水素原子又はメチル基を表す。）によって表されるポリオレフィン残基を表す。]で表される
ポリアルキル化１，３，４−チアジアゾール化合物である。
上記ポリアルキル化１，３，４−チアジアゾール化合物は、既知の化合物である。それらの調製は、欧州特許出願公開第０４０６５１７号明細書に記載されている。
特に好ましい化合物は、炭素原子数９のアルキルジチオチアジアゾールであり、商標  ハイテック（登録商標：Ｈｉｔｅｃ）４３１３の名のもと販売され商業上入手可能である。
様々な政府機関によって出された環境規制は、組成物中の硫黄総量が０．３質量％未満、好ましくは０．２質量％未満であると規定する。上記添加剤の組み合わせが、０．１０質量％未満、好ましくは０．０５質量％未満及び特に０．０１質量％未満の含有量の硫黄が存在する燃料に加えられる。
【００２０】
成分Ｃ
本発明に従う組成物は、成分Ａ）及びＢ）に加えて追加の慣用の油添加剤を含む。そのような添加剤は、更なる酸化防止剤、金属奪活剤、さび止め剤、粘度指数向上剤（ｖｉｓｃｏｓｉｔｙ  ｉｎｄｅｘ  ｅｎｈａｎｃｅｒ）、流動点降下剤、分散剤、浄化剤、更なる極圧添加剤及び耐磨耗添加剤を含む。そのような添加剤は、それらのそれぞれに対し慣用の量で加えられ、それぞれの場合において約０．０１ないし１０．０質量％、好ましくは０．１ないし１．０質量％に及ぶ。更なる添加剤の例は、以下に与えられる。
１．  フェノール系／アミン系酸化防止剤：
１．１．  アルキル化モノフェノール：
２，６−ジ−第三ブチル−４−メチルフェノール、２−ブチル−４，６−ジメチルフェノール、２，６−ジ−第三ブチル−４−エチルフェノール、２，６−ジ−第三ブチル−４−ｎ−ブチルフェノール、２，６−ジ−第三ブチル−４−イソブチルフェノール、２，６−ジシクロペンチル−４−メチルフェノール、２−（α−メチルシクロヘキシル）−４，６−ジメチルフェノール、２，６−ジオクタデシル−４−メチルフェノール、２，４，６−トリシクロヘキシルフェノール、２，６−ジ−第三ブチル−４−メトキシメチルフェノール、線状ノニルフェノール又は側鎖において分岐したノニルフェノール、例えば２，６−ジノニル−４−メチルフェノール、２，４−ジメチル−６−（１’−メチル−ウンデシ−１’−イル）フェノール、２，４−ジメチル−６−（１’−メチルヘプタデシ−１’−イル）フェノール、２，４−ジメチル−６−（１’−メチルトリデシ−１’−イル）フェノール及びそれらの混合物
１．２．  アルキルチオメチルフェノール：
２，４−ジオクチルチオメチル−６−第三ブチルフェノール、２，４−ジオクチルチオメチル−６−メチルフェノール、２，４−ジオクチルチオメチル−６−エチルフェノール、２，６−ジドデシルチオメチル−４−ノニルフェノール
１．３．  ヒドロキノン及びアルキル化ヒドロキノン：
２，６−ジ−第三ブチル−４−メトキシフェノール、２，５−ジ−第三ブチルヒドロキノン、２，５−ジ−第三アミルヒドロキノン、２，６−ジフェニル−４−オクタデシルオキシフェノール、２，６−ジ−第三ブチルヒドロキノン、２，５−ジ−第三ブチル−４−ヒ
ドロキシアニソール、３，５−ジ−第三ブチル−４−ヒドロキシアニソール、３，５−ジ−第三ブチル−４−ヒドロキシフェニルステアレート、ビス（３，５−ジ−第三ブチル−４−ヒドロキシフェニル）アジペート
【００２１】
１．４．  トコフェロール：
α−トコフェロール、β−トコフェロール、γ−トコフェロール又はδ−トコフェロール及びそれらの混合物（ビタミンＥ）
１．５．  ヒドロキシ化チオジフェニルエーテル：
２，２’−チオビス（６−第三ブチル−４−メチルフェノール）、２，２’−チオビス（４−オクチルフェノール）、４，４’−チオビス（６−第三ブチル−３−メチルフェノール）、４，４’−チオビス（６−第三ブチル−２−メチルフェノール）、
４，４’−チオビス（３，６−ジ−第二アミルフェノール）、４，４’−ビス（２，６−ジメチル−４−ヒドロキシフェニル）ジスルフィド
１．６．  アルキリデンビスフェノール：
２，２’−メチレンビス（６−第三ブチル−４−メチルフェノール）、２，２’−メチレンビス（６−第三ブチル−４−エチルフェノール）、２，２’−メチレン−ビス［４−メチル−６−（α−メチルシクロヘキシル）フェノール］、２，２’−メチレン−ビス（４−メチル−６−シクロヘキシルフェノール）、２，２’−メチレン−ビス（６−ノニル−４−メチルフェノール）、２，２’−メチレン−ビス（４，６−ジ−第三ブチルフェノール）、２，２’−エチリデンビス（４，６−ジ−第三ブチルフェノール）、２，２’−エチリデン−ビス（６−第三ブチル−４−イソブチルフェノール）、２，２’−メチレン−ビス［６−（α−メチルベンジル）−４−ノニルフェノール］、２，２’−メチレン−ビス［６−（α，α−ジメチルベンジル）−４−ノニルフェノール］、４，４’−メチレン−ビス（２，６−ジ−第三ブチルフェノール）、４，４’−メチレンビス（６−第三ブチル−２−メチルフェノール）、１，１−ビス（５−第三ブチル−４−ヒドロキシ−２−メチルフェニル）ブタン、２，６−ビス（３−第三ブチル−５−メチル−２−ヒドロキシベンジル）−４−メチルフェノール、１，１，３−トリス（５−第三ブチル−４−ヒドロキシ−２−メチルフェニル）ブタン、１，１−ビス（５−第三ブチル−４−ヒドロキシ−２−メチルフェニル）−３−ｎ−ドデシルメルカプトブタン、エチレングリコールビス［３，３−ビス（３’−第三ブチル−４’−ヒドロキシフェニル）ブチレート］、ビス（３−第三ブチル−４−ヒドロキシ−５−メチルフェニル）ジシクロペンタジエン、ビス［２−（３’−第三ブチル−２’−ヒドロキシ−５’−メチルベンジル）−６−第三ブチル−４−メチルフェニル］テレフタレート、１，１−ビス（３，５−ジメチル−２−ヒドロキシフェニル）ブタン、２，２−ビス（３，５−ジ−第三ブチル−４−ヒドロキシフェニル）プロパン、２，２−ビス（５−第三ブチル−４−ヒドロキシ−２−メチルフェニル）−４−ｎ−ドデシルメルカプトブタン、１，１，５，５−テトラ（５−第三ブチル−４−ヒドロキシ−２−メチルフェニル）ペンタン。
【００２２】
１．７．  Ｏ−、Ｎ−及びＳ−ベンジル化合物：
３，５，３’，５’−テトラ−第三ブチル−４，４’−ジヒドロキシジベンジルエーテル、オクタデシル−４−ヒドロキシ−３，５−ジメチルベンジル−メルカプトアセテート、トリデシル−４−ヒドロキシ−３，５−ジ−第三ブチルベンジル−メルカプトアセテート、トリス（３，５−ジ−第三ブチル−４−ヒドロキシベンジル）アミン、ビス（４−第三ブチル−３−ヒドロキシ−２，６−ジメチルベンジル）ジチオテレフタレート、ビス（３，５−ジ−第三ブチル−４−ヒドロキシベンジル）スルフィド、イソオクチル−３，５−ジ−第三ブチル−４−ヒドロキシベンジル−メルカプトアセテート
１．８．  ヒドロキシベンジル化マロネート：
ジオクタデシル−２，２−ビス（３，５−ジ−第三ブチル−２−ヒドロキシベンジル）マロネート、ジオクタデシル−２−（３−第三ブチル−４−ヒドロキシ−５−メチルベンジル）マロネート、ジドデシルメルカプトエチル−２，２−ビス（３，５−ジ−第三ブチル
−４−ヒドロキシベンジル）マロネート、ジ［４−（１，１，３，３−テトラメチルブチル）フェニル］−２，２−ビス（３，５−ジ−第三ブチル−４−ヒドロキシベンジル）マロネート
１．９．  ヒドロキシベンジル芳香族化合物：
１，３，５−トリス（３，５−ジ−第三ブチル−４−ヒドロキシベンジル）−２，４，６−トリメチルベンゼン、１，４−ビス（３，５−ジ−第三ブチル−４−ヒドロキシベンジル）−２，３，５，６−テトラメチルベンゼン、２，４，６−トリス（３，５−ジ−第三ブチル−４−ヒドロキシベンジル）フェノール
【００２３】
１．１０．  トリアジン化合物：
２，４−ビス−オクチルメルカプト−６−（３，５−ジ−第三ブチル−４−ヒドロキシアニリノ）−１，３，５−トリアジン、２−オクチルメルカプト−４，６−ビス（３，５−ジ−第三ブチル−４−ヒドロキシアニリノ）−１，３，５−トリアジン、２−オクチルメルカプト−４，６−ビス（３，５−ジ−第三ブチル−４−ヒドロキシフェノキシ）−１，３，５−トリアジン、２，４，６−トリス（３，５−ジ−第三ブチル−４−ヒドロキシフェノキシ）−１，２，３−トリアジン、１，３，５−トリス（３，５−ジ−第三ブチル−４−ヒドロキシベンジル）イソシアヌレート、１，３，５−トリス（４−第三ブチル−３−ヒドロキシ−２，６−ジメチルベンジル）イソシアヌレート、２，４，６−トリス（３，５−ジ−第三ブチル−４−ヒドロキシフェニルエチル）−１，３，５−トリアジン、１，３，５−トリス（３，５−ジ−第三ブチル−４−ヒドロキシフェニルプロピオニル）ヘキサヒドロ−１，３，５−トリアジン、１，３，５−トリス（３，５−ジシクロヘキシル−４−ヒドロキシベンジル）イソシアヌレート
１．１１．  アシルアミノフェノール：
４−ヒドロキシラウリン酸アニリド、４−ヒドロキシステアリン酸アニリド、Ｎ−（３，５−ジ−第三ブチル−４−ヒドロキシフェニル）カルバミン酸オクチルエステル
【００２４】
１．１２．  β−（３，５−ジ−第三ブチル−４−ヒドロキシフェニル）プロピオン酸のエステルであって、一価または多価アルコール、例えば、
メタノール、エタノール、ｎ−オクタノール、イソオクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）シュウ酸ジアミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル
１．１３．  β−（５−第三ブチル−４−ヒドロキシ−３−メチルフェニル）プロピオン酸のエステルであって、多価アルコール、例えば、
１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）シュウ酸ジアミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル
１．１４．  β−（３，５−ジシクロヘキシル−４−ヒドロキシフェニル）プロピオン酸のエステルであって、一価または多価アルコール、例えば、
メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリ
コール、ペンタエリトリトール、トリス（ヒドロキシエチル）イソシアヌレート、Ｎ，Ｎ’−ビス（ヒドロキシエチル）シュウ酸ジアミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００２５】
１．１５．  ３，５−ジ−第三ブチル−４−ヒドロキシフェニル酢酸のエステルであって、一価または多価アルコール、例えば、
メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）シュウ酸ジミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル
１．１６．  β−（３，５−ジ−第三ブチル−４−ヒドロキシフェニル）プロピオン酸のアミド：
Ｎ，Ｎ’−ビス（３，５−ジ−第三ブチル−４−ヒドロキシフェニルプロピオニル）ヘキサメチレンジアミン、Ｎ，Ｎ’−ビス（３，５−ジ−第三ブチル−４−ヒドロキシフェニルプロピオニル）トリメチレンジアミン、Ｎ，Ｎ’−ビス（３，５−ジ−第三ブチル−４−ヒドロキシフェニルプロピオニル）ヒドラジン
１．１７．  アスコルビン酸（ビタミンＣ）
【００２６】
１．１８．  アミン系酸化防止剤：
Ｎ，Ｎ’−ジ−イソプロピル−ｐ−フェニレンジアミン、Ｎ，Ｎ’−ジ−第二ブチル−ｐ−フェニレンジアミン、Ｎ，Ｎ’−ビス（１，４−ジメチルペンチル）−ｐ−フェニレンジアミン、Ｎ，Ｎ’−ビス（１−エチル−３−メチルペンチル）−ｐ−フェニレンジアミン、Ｎ，Ｎ’−ビス（１−メチルヘプチル）−ｐ−フェニレンジアミン、Ｎ，Ｎ’−ジシクロヘキシル−ｐ−フェニレンジアミン、Ｎ，Ｎ’−ジフェニル−ｐ−フェニレンジアミン、Ｎ，Ｎ’−ジ（２−ナフチ−２−イル）−ｐ−フェニレンジアミン、Ｎ−イソプロピル−Ｎ’−フェニル−ｐ−フェニレンジアミン、Ｎ−（１，３ジメチルブチル）−Ｎ’−フェニル−ｐ−フェニレンジアミン、Ｎ−（１−メチルヘプチル）−Ｎ’−フェニル−ｐ−フェニレンジアミン、Ｎ−シクロヘキシル−Ｎ’−フェニル−ｐ−フェニレンジアミン、４−（ｐ−トルエンスルホンアミド）−ジフェニルアミン、Ｎ，Ｎ’−ジメチル−Ｎ，Ｎ’−ジ−第二ブチル−ｐ−フェニレンジアミン、ジフェニルアミン、Ｎ−アリルジフェニルアミン、４−イソプロポキシジフェニルアミン、４−ｎ−ブチルアミノフェノール、４−ブチリルアミノフェノール、４−ノナノイルアミノフェノール、４−ドデカノイルアミノフェノール、４−オクタデカノイルアミノフェノール、ビス（４−メトキシフェニル）アミン、２，６−ジ−第三ブチル−４−ジメチルアミノメチルフェノール、２，４’−ジアミノジフェニルメタン、４，４’−ジアミノジフェニルメタン、Ｎ，Ｎ，Ｎ’，Ｎ’−テトラメチル−４，４’−ジアミノジフェニルメタン、１，２−ジ［（２−メチルフェニル）アミノ］エタン、１，２−ジ（フェニルアミノ）プロパン、（ｏ−トリル）ビグアニド、ジ［４−（１’，３’−ジメチルブチル）フェニル］アミン、第三オクチル化Ｎ−フェニル−１−ナフチルアミン、モノ−及びジアルキル化第三ブチル／第三オクチルジフェニルアミンの混合物、モノ−及びジアルキル化ノニルジフェニルアミンの混合物、モノ−及びジアルキル化ドデシルジフェニルアミンの混合物、モノ−及びジアルキル化イソプロピル／イソヘキシルジフェニルアミンの混合物、モノ−及びジアルキル化第三ブチルジフェニルアミンの混合物、２，３−ジヒドロ−３，３−ジメチル−４Ｈ−１，４−ベンゾチアジン、フェノチアジン、モノ−及びジアルキル化第三ブチル／第三オクチルフェノチ
アジンの混合物、モノ−及びジアルキル化第三オクチルフェノチアジンの混合物、Ｎ−アリルフェノチアジン、Ｎ，Ｎ，Ｎ’，Ｎ’−テトラフェニル−１，４−ジアミノブテ−２−エン、N，Ｎ−ビス（２，２，６，６−テトラメチルピペリジニ−４−イル）ヘキサメ
チレンジアミン、ビス（２，２，６，６−テトラメチルピペリジニ−４−イル）セバケート、２，２，６，６−テトラメチルピペリジノ−４−オン、２，２，６，６−テトラメチルピペリジノ−４−オール
【００２７】
２．  更なる酸化防止剤
２．１．脂肪族又は芳香族ホスフィット、チオジプロピオン酸もしくはチオ二酢酸のエステル又はジチオカルバミン酸の塩、２，２，１２，１２−テトラメチル−５，９−ジヒドロキシ−３，７，１１−トリチアトリデカン及び２，２，１５，１５−テトラメチル−５，１２−ジヒドロキシ−３，７，１０，１４−テトラチアヘキサデカン
２．２．硫黄含有複素環式化合物：２−メルカプトベンゾチアゾール、２，５−ジメルカプト−１，３，４−チアジアゾール、２，５−ジメルカプトベンゾチアジアゾール及びその誘導体；３，５−ビス[ジ(２−エチルヘキシル)アミノメチル]−１，３，４−チアジアゾリノ−２−オン
２．３．アミノ化合物：サリチリデン−プロピレンジアミン、サリチルアミノグアニジン及びその塩
【００２８】
３．腐食防止剤
３．１  有機酸、それらのエステル、金属塩、アミン塩及び無水物：
アルキルコハク酸及びアルケニルコハク酸及びそれらのアルコール、ジオール又はヒドロキシカルボン酸との部分エステル、アルキルコハク酸及びアルケニルコハク酸の部分アミド、４−ノニルフェノキシ酢酸、アルコキシカルボン酸及びアルコキシエトキシカルボン酸、例えばドデシルオキシ酢酸、ドデシルオキシ（エトキシ）酢酸及びそのアミン塩、及びまたＮ−オレオイル−サルコシン、ソルビタンモノオレエート、ナフテン酸鉛、アルケニルコハク酸無水物、例えばドデセニルコハク酸無水物、２−（２−カルボキシエチル）−１−ドデシル−３−メチルグリセロール及びその塩、特にそのナトリウム及びトリエタノールアミン塩
３．２  窒素含有化合物
３．２．１  第三脂肪族又は脂環式アミン並びに有機酸及び無機酸のアミン塩、例えば油溶性アルキルアンモニウムカルボキシレート、及び１−[Ｎ，Ｎ−ビス（２−ヒドロキシ
エチル）アミノ]−３−（４−ノニルフェノキシ）プロパノ−２−オール
３．２．２  複素環式化合物：置換されたイミダゾリン及びオキサゾリン、例えば２−ヘプタデセニル−１−（２−ヒドロキシエチル）−イミダゾリン
３．２．３  硫黄含有化合物：バリウムジノニルナフタレンスルホネート、カルシウム石油スルホネート、アルキルチオ置換された脂肪族カルボン酸、脂肪族２−スルホカルボン酸のエステル及びその塩
【００２９】
４．粘度指数向上剤（Ｖｉｓｃｏｓｉｔｙ  Ｉｎｄｅｘ  Ｉｎｃｒｅａｓｅｒｓ）
ポリアクリレート、ポリメタクリレート、ビニルピロリドン／メタクリレートコポリマー、ポリビニルピロリドン、ポリブテン、オレフィンコポリマー、スチレン／アクリレートコポリマー、ポリエーテル
５．流動点降下剤
ポリ（メタ）アクリレート、エチレン／ビニル酢酸コポリマー、アルキルポリスチレン、フマル酸コポリマー、アルキル化ナフタレン誘導体
６．分散剤／界面活性剤
コハク酸アミド又はイミド、ポリブテニルリン酸誘導体、塩基性マグネシウム、カルシウムスルホネート及びバリウムスルホネート並びにカルシウムスルホネート及びバリウムフェノレート
【００３０】
７．極圧及び耐磨耗添加剤
硫黄及びハロゲン含有化合物、例えば塩素化パラフィン、硫化オレフィン又は植物油（大豆油、菜種油）、アルキルスルフィド又はアリール−ジ−スルフィドもしくはアリール−トリ−スルフィド、ベンゾトリアゾール又はその誘導体、例えばビス（２−エチルヘキシル）アミノメチルトルトリアゾール、ジチオカルバメート、例えばメチレン−ビス−ジブチルジチオカルバメート、２−メルカプトベンゾチアゾールの誘導体、例えば１−[Ｎ，
Ｎ−ビス（２−エチルヘキシル）アミノメチル]−２−メルカプト−１Ｈ−１，３−ベン
ゾチアゾール、２，５−ジメルカプト−１，３，４−チアジアゾールの誘導体、例えば２，５−ビス（第三ノニルジチオ）−１，３，４−チアジアゾール
８．摩擦係数減少剤の例
ラード油、オレイン酸、牛脂、菜種油、硫化油脂（ｓｕｌｐｈｕｒａｔｅｄ  ｆａｔｓ）、アミド、アミン。更なる例は、欧州特許出願公開第０５６５４８７号明細書において与えられている。
９．特別な添加剤
乳化剤：石油スルホネート、アミン、例えばポリオキシエチル化脂肪アミン、非イオン性界面活性物質；緩衝剤：例えばアルカノールアミン；殺生物剤：トリアジン、チアゾリノン、トリス−ニトロメタン、モルホリン、ピリデンチオールナトリウム；処理速度向上剤：カルシウム及びバリウムスルホネート
【００３１】
成分Ｃ）として加えられるための追加の添加剤混合物の例は、下記に与えられる：
【表１】
2008533291.tif 000017
【００３２】
上記添加剤は、それ自体既知の方法で上記成分Ａ）及びＢ）と混合し得る。対象とする潤滑油に実用的な濃度を与えるために希釈され得る、濃縮物又はいわゆる“添加剤パック（ａｄｄｉｔｉｖｅ  ｐａｃｋ）”を調製することも可能である。好ましい態様において、成分Ａ）、Ｂ）及びＣ）は濃縮物中で室温で液状である。該濃縮物は、成分Ｄ）に従う基油の添加によって希釈し得る。
【００３３】
成分Ｄ
潤滑粘度の低硫黄油は、燃焼機関油の調製のために使用し得る。低硫黄油における総硫黄含有量は、組成物の総質量に関して０．３質量％を上回る制限を越えるべきではない。
適する燃焼機関油は、例えば鉱油、天然油、合成油又はそれらの混合物に基づく。それらの油は既知であり、当業者によく知られており、標準的な文献、例えばＣｈｅｍｉｓｔ
ｒｙ  ａｎｄ  Ｔｅｃｈｎｏｌｏｇｙ  ｏｆ  Ｌｕｂｒｉｃａｎｔｓ；Ｍｏｒｔｉｅｒ，Ｒ．Ｍ．及びＯｒｓｚｕｌｉｋ，  Ｓ．Ｔ．  （著者）；  １９９２、英国ではＢｌａｃｋｉｅ  ａｎｄ  Ｓｏｎ  Ｌｔｄ，米国では  ＶＣＨ−Ｐｕｂｌｉｓｈｅｒｓ  Ｎ．Ｙ．，  ＩＳＢＮ０−２１６−９２９２１−０，２０８頁以下参照及び２６９頁以下参照；Ｋｉｒｋ−Ｏｔｈｍｅｒ  Ｅｎｃｙｃｌｏｐｅｄｉａ  ｏｆ  Ｃｈｅｍｉｃａｌ  Ｔｅｃｈｎｏｌｏｇｙ，第５版  １９６９，  Ｊ．  Ｗｉｌｅｙ＆  Ｓｏｎｓ，  Ｎｅｗ  Ｙｏｒｋ，第１３巻，５３３頁以下参照（油圧油）；  Ｐｅｒｆｏｒｍａｎｃｅ  Ｔｅｓｔｉｎｇ  ｏｆ  Ｈｙｄｒａｕｌｉｃ  Ｆｌｕｉｄｓ；  Ｒ．  Ｔｏｕｒｒｅｔ  ａｎｄ  Ｅ．Ｐ．  Ｗｒｉｇｈｔ，  Ｈｙｄｅｎ＆  Ｓｏｎ  Ｌｔｄ．  ＧＢ，Ｔｈｅ  Ｉｎｓｔｉｔｕｔｅ  ｏｆ  Ｐｅｔｒｏｌｅｕｍ  Ｌｏｎｄｏｎのため，  ＩＳＢＮ０８５５０１３１７６；  Ｕｌｌｍａｎｎ’ｓ  Ｅｎｃｙｃｌｏｐｅｄ
ｉａ  ｏｆ  Ｉｎｄ．  Ｃｈｅｍ．，第５完全改訂版，  Ｖｅｒｌａｇ  Ｃｈｅｍｉｅ，
ＤＥ−Ｗｅｉｎｈｅｉｍ，米国ではＶＣＨ−Ｐｕｂｌｉｓｈｅｒｓ，第Ａ１５巻，４２３頁参照（潤滑油），第Ａ１３巻，１６５頁以下参照（油圧油）に記載される。
【００３４】
潤滑粘度の基油は、好ましくは８０質量％以上の飽和炭化水素成分を含有する鉱油由来の潤滑性基油である。鉱油由来の潤滑性基油を製造するための様々な方法が使用できる。例えば、潤滑性基油は、原油の常圧又は減圧蒸留から生成される潤滑性油留分に精製処理、例えば脱歴、溶剤精製、例えばフルフラールを用いた溶媒抽出、水素化分解、溶媒又は接触脱ろう、例えば溶媒又は接触脱ろう、水素処理、例えば水素化分解又は水素化精製（ｈｙｄｒｏｆｉｎｉｓｈｉｎｇ）、粘度処理、例えば酸処理又は活性化粘度による洗浄、又は化学精製、例えば苛性ソーダ又は硫酸などでの洗浄を受けさせることによって得られ得るパラフィン油又はナフテン油であり得る。
【００３５】
鉱油由来の潤滑性基油を製造するための好ましい方法は、下記の技術的方法からなり、ここで下記の油のうちの１つは原料油として使用される：
１）パラフィン原油及び／又は混合原油の常圧蒸留から生成される留出分；
２）パラフィン原油及び／又は混合原油の全減圧軽油（ｗｈｏｌｅ  ｖａｃｕｕ      ｍ
ｇａｓ  ｏｉｌ）（ＷＶＧＯ）
３）前記１）及び／又は２）に従い得られる生成物に軽い（ｍｉｌｄ）水素化分      解法（ＭＨＣ）を受けさせることによって得られる油；
４）前記１）ないし３）に従い得られる生成物から選ばれた２種以上の混合物；      
５）前記１）、２）、３）又は４）に従い得られた生成物からの脱歴油（ＤＡＯ      ）；
６）前記５）に従い得られた生成物に軽い水素化分解法を受けさせることによっ      て得られた油；及び
７）前記１）ないし６）に従い得られた油の群から選ばれた２種以上の油の混合      物。
【００３６】
原料油自体かそれともそれから回収される潤滑性油画分は、請求の範囲に記載されている組成物の成分ａ）として有用である潤滑性油画分を得るために上記の方法のような慣用の精製法によって精製される。基油は、個々の成分として又は上記基油の２種以上の組み合わせで組成物中に存在し得る。いわゆるガスから液体法（ｇａｓ  ｔｏ  ｌｉｑｕｉｄ）又はその他の方法によってガス状の原料から得られる基油（ＧＴＬ油）は、請求項に記載された潤滑油の主要な又は主要でない成分として使用し得る。
【００３７】
潤滑粘度の他の基油、例えば植物性及び動物性油、油脂、牛脂、ワックス及びそれらの混合物に基づく油が使用し得る。植物性及び動物性油、油脂、牛脂及びワックスは、例えばパーム核油、パーム油、オリーブ油、菜種油（ｒａｐｅｓｅｅｄ  ｏｉｌ）、菜種油（ｒａｐｅ  ｏｉｌ）、アマニ油、大豆油、綿実油、ひまわり油、ココナッツ油、トウモロ
コシ油、ヒマシ油、低級オリーブ油及びそれらの混合物、魚油、及びまたその化学的に改質された、例えばエポキシ化及びスルホキシド化された形態、又はその遺伝子工学により製造された形態、例えば遺伝子組み換え大豆油である。
【００３８】
合成油の例は、脂肪族又は芳香族カルボキシエステル、ポリマー状エステル、酸化ポリアルキレン、リン酸エステル、ポリ−α−オレフィン又はシリコーン、二価酸と一価アルコールとのジエステル、例えばジオクチルセバケート又はジノニルアジペートのような、トリメチロールプロパンと一価酸との又はそのような酸の混合物とのトリエステル、例えばトリメチロールプロパントリペラルゴナート、トリメチロールプロパントリカプリレート又はその混合物、ペンタエリトリトールと一価酸との又はそのような酸の混合物とのテトラエステル、例えばペンタエリトリトールテトラカプリレート、又は一価及び二価酸と多価アルコールとの複合エステル、例えばトリメチロールプロパンとカプリン酸及びセバシン酸との複合エステル、又はそれらの混合物に基づく潤滑油を含む。鉱油は別として、ポリ−α−オレフィン、エステルベースの潤滑油、ホスフェート、グリコール、ポリグリコール及びポリアルキレングリコール並びに水とそれらの混合物が特に適している。
【００３９】
有機又は無機増粘剤（基油脂）も、上記潤滑油又はその混合物に加えられ得る。
本発明の更なる態様は、
Ａ）本質的に
ａ）少なくとも一種のリン酸アンモニウムエステル；
ｂ）少なくとも一種のチオリン酸エステル；及び
ｃ）少なくとも一種のジチオリン酸誘導体；
からなる添加剤混合物
Ｂ）硫黄含有油添加剤
を含む添加剤組成物に関する。
該添加剤組成物は、慣用の混合技術によって調製される。本発明に従う組成物は、基油成分Ｄ）の質量に基づき、成分Ａ）及びＢ）を含む、好ましくは０．０１ないし５．０質量％、特に０．０２ないし１．０質量％の添加剤組成物の量を含む。
【００４０】
本発明の更なる態様は、燃焼機関、特に火花点火又はディーゼル自動車用エンジンで使用するための
ａ）少なくとも一種のリン酸アンモニウムエステル；
ｂ）少なくとも一種のチオリン酸エステル；及び
ｃ）少なくとも一種のジチオリン酸誘導体；
からなる添加剤混合物に関する。
本発明の更なる態様は、燃焼機関における磨耗の低減のための方法に関し、該方法は上記潤滑油組成物をエンジンに添加することを含み、該組成物中の硫黄の総量は０．３質量％未満、特に０．２質量％未満、及びリン酸総量は０．０８質量％未満である。
下記の実施例は本発明を説明する。
【実施例】
【００４１】
応用例
試験マトリックス：耐磨耗活性。目的は、本発明に従う無鉛組成物がＺｎ−ジチオホスフェートを含む類似の組成物のものと同様な磨耗に対する保護を有することを示すことである。
【００４２】
【表２】
2008533291.tif 000018
【００４３】
【表３】
2008533291.tif 000019
【００４４】
【表４】
2008533291.tif 000020
【００４５】
【表５】
2008533291.tif 000021
【００４６】
【表６】
2008533291.tif 000022
【００４７】
コメント：
実施例１０及び１１は、それぞれの型のリンをおよそ等モル量有する表３で示されるような、ホスホロチオエート、ジチオホスフェートアルキルアミン、アミンモノヘキシル及びジヘキシルホスフェート並びにチアジアゾールで作成された２つのエンジンオイルの試験である。しかしながら、実施例１０はジチオホスフェート由来のPを１７０ｐｐｍしか
有さなかった。実施例１１はジチオホスフェート由来のPを２５０ｐｐｍ有した。オイル
はＯＭ６１１のディーゼルエンジンで試験された。
この試験は、いくつかの他のパラメータと、中でも、吸気及び排気位置のカム軸磨耗並びにシリンダーライナー磨耗を測定した。ＯＭ６１１は、ＯＭ６０２Ａ磨耗試験の最善の代替物であることが欧州潤滑油産業（Ｅｕｒｏｐｅａｎ  ｌｕｂｒｉｃａｎｔ  ｉｎｄｕｓｔｒｙ）によって考えられている。
【国際調査報告】
2008533291.tif 000034
2008533291.tif 000035
2008533291.tif 000036